(57)【要約】【課題】  顔面のしわを解消するために、顔面の表皮をマッサージしたり、金属棒の表面を顔面の上で回転させたりしていた。前者は時間を取られ、長時間やれるものではない。後者は表面の上からだけではあまり効果的であるとは思えない。【解決手段】  法令線、口の回わりのしわ、あごのしわを皮の真下に張りめぐらされている箇状空道に空気を入れてふくらませ、皮を下から持ち上げて、皮を伸ばし、しわを伸ばして解消する方法である。又、箇状空道に空気を入れてフタをし、満杯状態、硬直状態にし、それを口の中で長時間使用できるように材質形状のあるしわとり器である。【選択図】図４
2013212337.tif 000002
【特許請求の範囲】
【請求項１】
箇状空道（１）の吸入口（２）とポンプ（３）の吸出口（４）とを連結させ、ポンプ（３）をくり返し押して、法令線（５）、口の回わりのしわ、あごのしわのある皮の真下に、はりめぐらされた箇状空道（１）に空気を入れて、皮の真下の位置から、皮膚を持ち上げ、しわを伸ばして、それらのしわを解消しようとする材質、形状に設計されたしわとり器。
【請求項２】
箇状空道（１）の吸入口（２）から、箇状空道（１）に空気を入れて、フタ（６）をして箇状空道（１）を満杯状態、硬直状態にして、それを口の中に入れて、法令線５）、口の回わりのしわ、あごのしわを皮の真下の位置から、皮を持ち上げ、しわを伸ばした状態を長時間持ち上げられるかたさのある材質、形状のあるしわとり器。
【請求項３】
法令線（５）、口の回わりのしわ、あごのしわをそれぞれの皮の真下で振動を発生させるものを設置したもの
【発明の詳細な説明】
【技術分野】
【０００１】  本発明は鼻の両側、斜めに走っている法令線、口の回わりのしわ、あごのしわなどを解消させる発明に関するものである。
【技術分野】
【０００２】  従来、顔面のしわは、手で顔面の表皮をマッサージしたり、棒状の金属面で顔面の表皮の上を回転させてマッサージする方法があった。
これでは前者は時間がかかり、後者は皮の下まではマッサージできない。
【先行技術文献】
【発明の概要】
【発明が解決しようとする課題】
【０００３】  従来の棒状金属面を顔面の皮の上で回転さる方法は、しわの深い下までマッサージできない。これではあまり効果的であるとは思えない。また、手で顔面の皮をマッサージするのは疲れるし、長時間することはできない。
【課題を解決するための手段】
【０００４】  ポンプをくり返し押し、吸入口から空気を入れて、法令線、口の回わりのしわ、あごのしわの皮の真下で、はりめぐらされた箇状空道がふくらみ、皮を持ち上げてしわを伸ばして、しわを解消する方法、形状に設計した。
又吸入口から空気を入れて、フタをし、空道を満杯状態にし、それを口の中に入れ長時間皮膚を持ち上げた状態で使用できるようにした。
【発明の効果】
【０００５】  本発明を使用することによって、法令線、口の回わりのしわ、あごのしわを皮の真下から持ち上げて、しわを伸ばし、しわを解消する方法は効果大、画期的である。
又、箇状空道を満杯状態、コウチョク状態でそれを口の中に入れていると、長時間皮膚を持ち上げた状態が続き楽々しわを解消できる。
【図面の簡単な説明】
【０００６】
【図１】  箇状空道  斜面図
【図２】  安定板  斜面図
【図３】  箇状空道と安定板をあわせた斜面図
【図４】  口の中で使用状態拡大図とポンプとフタ
【発明を実施するための形態】
【０００７】  上下歯ぐき（７，８）と上下くちびる（９，１０）の間に箇状空道（１）の吸入口（２）とポンプ（３）の吸出口（４）を連結させ、ポンプ（３）をくり返し押して空気を送り込むとふくれ上がる材質のある箇状空道（１）を設計する（図１）、その箇状空道（１）が法令線（５）の皮の真下で一致する位置にツノ（１１）を設け、あごのしわの皮の真下で一致する位置にアシ（１２）を設け、口の回わりのしわの皮の真下で一致する位置に横２本、たて３本の箇状空道（１）を設ける。つまりそれぞれの皮のしわの真下で箇状空道（１）に空気を送れば箇状空道（１）がふくれ上るように張りめぐらされた形状に設計されているのである。
これを口の中でピッタリ、フィットするように少しカーブのある安定板（１３）（図２）にくっつける（図３）。
【０００８】  これにより箇状空道（１）に空気を送り込むと、法令線（５）、口の回わりのしわ、あごのしわを皮の真下に張りめぐらされている箇状空道（１）がふくれ上り、皮を持ち上げて皮を伸ばして、しわを解消するように設計されているのである。
又、箇状空道（１）の吸入口（２）から空気を入れてフタ（６）をし、箇状空道を満杯状態硬直状態にして、口の中に入れておけば、法令線（５）、口の回わりのしわ、あごのしわが皮膚の真下から押し上げられて、しわが伸ばされている状態が長く続けられ、いつでも、どこでも、睡眠中でも使用できるように設計されているのである。
【符号の説明】
【０００９】（１）箇状空道        （６）フタ            （１１）ツノ
（２）吸入口          （７）上歯ぐき        （１２）アシ
（３）ポンプ          （８）下歯ぐき        （１３）安定板
（４）吸出口          （９）上くちびる      （１４）上歯
（５）法令線          （１０）下くちびる    （１５）下歯
（１６）鼻
【図１】
2013212337.tif 000003
【図２】
2013212337.tif 000004
【図３】
2013212337.tif 000005
【図４】
2013212337.tif 000006
【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
安定板（１３）と箇状空道（１）を顔面に発生している法令線（５）、口の回りのしわ、あごのしわ，ほほのしわの皮の真下の口の中の位置で、つまり法令線（５）には箇状空洞（１）の上部左右のツノ（１１）で、口の回りのしわは横２本の箇状空道（１）で、あごのしわは箇状空道（１）下部左右のアシ（１２）で、ほほのしわは縦２本の箇状空道（１）に口のなかで一致して張りめぐらされた形状に設計する。
箇状空道（１）の吸入口（２）とポンプ（３）の吸出口（４）とを連結させ、それを口の中に装着してポンプ（３）をくり返し押して空気を送り込むと、それぞれのしわを皮の下から皮を持ち上げて皮膚を伸ばして箇状空道（１）がそれぞれのしわの真下の口の中でふくれ上がるゴム等の弾性材、材質また形状にしたしわとり解消器。
【請求項２】
安定板（１３）と箇状空道（１）を顔面に発生している法令線（５）、口のまわりのしわ、あごのしわ，ほほのしわの皮の真下の口の中の位置で、つまり法令線（５）には箇状空道（１）の上部左右のツノ（１１）で、口のまわりのしわは横２本の箇状空道（１）で、あごのしわは箇状空道（１）、下部左右のアシ（１２）でほほのしわは縦２本の箇状空道（１）に口の中で一致して張りめぐらされた形状に設計する。
箇状空道（１）の吸入口（２）から空気を入れて箇状空道（１）を満パイ状態にしてフタ（６）をしめ、それを口の中に装着して、それぞれのしわを皮の下から持ちあげてしわを伸ばしている状態を長時間出来るように、それぞれのしわの真下の口の中の位置で箇状空道（１）を硬直状態でゴム等の弾性材、材質丈形状にしたしわとり解消器具。
【請求項３】
安定板（１３）と箇状空道（１）を顔面に発生している法令線（５）、口のまわりのしわ、あごのしわ，ほほのしわの皮の真下の口の中の位置で、つまり法令線（５）には箇状空道（１）の上部左右のツノ（１１）で、口のまわりのしわは横２本の箇状空道（１）で、あごのしわは箇状空道（１）、下部左右のアシ（１２）でほほのしわは縦２本の箇状空道（１）に口の中で一致して張りめぐらされた形状に設計する。
箇状空道（１）の吸入口（２）から空気を入れて箇状空道（１）を満パイ状態にしてフタ（６）をしめ、それを口の中に装着して、それぞれのしわを皮の下から持ちあげてしわを伸ばしている状態で筒状空道（１）の吸入口（２）の左右にあるスペースの所に振動を発生するものを設けて皮膚を皮の下からもり上げた状態で皮膚の下層部から振動を発生させるしわとり解消器具。